(57)【要約】      （修正有）【課題】フィルタエレメントを簡単な方法で流れが最も良好になるとともにろ過部材を良好にシールできるように形成したフィルタエレメントを提供する。【解決手段】フィルタエレメントはフィルタハウジングのハウジング部分５、６に装着され、濾過部材２、４、１１はそれが嵌着されて形成される前記フィルタエレメントの前記片面側の空間が最小の圧力損失で濾過すべき或はされた流体が流入或は流出できる空間となるように形成されている。さらに、フィルタエレメントは、囲繞するシール部材７を介して、該シール部材７が下側ハウジング５の外縁部のシール部材受入れ部８に装入され、該シール部材７が上側ハウジング６に突き当たってシールが行なわれ、そして該シール部材７が基本的に濾過部材４の上面で終わるようにフィルタハウジングに取り付けられる。【選択図】図２
2006348934.tif 000002
【特許請求の範囲】
【請求項１】
少なくとも一つの濾過部材（２、４、１１）と、該濾過部材（２、4、１１）の片面側の周縁を囲繞していてハウジング（5、６）に嵌着されるシール部材（3、７）とを有するフィルタエレメントであって、
前記濾過部材（２、4、１１）はそれが嵌着されて形成される前記フィルタエレメントの前記片面側の空間が最小の圧力損失で濾過すべき或はされた流体が流入或は流出できる空間となるように形成されているフィルタエレメント。
【請求項２】
前記濾過部材（１１）はその流入側及び／或は流出側が少なくとも部分的に部分的流通可能化部材（１２）で覆われ、該部材（１２）は空気流が少なくとも部分的に平均的に分布するように作用することを特徴とする請求項１記載のフィルタエレメント。
【請求項３】
前記部分的流通可能化部材（１２）がフィルタ上面の全体を覆う枠部材（１４）の一部分に取り付けられ、該枠部材（１４）の残りの部分（１５）はフィルタ上面への支えを行なうことを特徴とする請求項２記載のフィルタエレメント。
【請求項４】
前記部分的流通可能化部材は穴明き板（１２）であることを特徴とする請求項２或は３に記載のフィルタエレメント。
【請求項５】
前記フィルタエレメントは、囲繞するシール部材（７）を介して、該シール部材（７）が下側ハウジング（５）の外縁部のシール部材受入れ部（８）に装入され、該シール部材（７）が上側ハウジング（６）に突き当たってシールが行なわれ、そして該シール部材（７）が基本的に濾過部材（４）の上面で終わるようにフィルタハウジングに取り付けられたことを特徴とする前記請求項のいずれか１項に記載のフィルタエレメント。
【請求項６】
前記フィルタエレメントは内燃機関の吸気経路に設けられることを特徴とする前記請求項のいずれか１項に記載のフィルタエレメント。
【発明の詳細な説明】
【技術分野】
【０００１】
本発明は、独立請求項に記載の型の、特に内燃機関の吸入空気濾過用のフィルタエレメ
ントに関する。
【背景技術】
【０００２】
折畳み濾過部材の片側面が少なくとも部分的に一つの面とは異なる面で両面間をジグザグに折畳まれたフィルタエレメントが、例えば特許文献１（ＤＥ１９８１６４３１Ａ１）に開示されている。この発明によれば、該フィルタエレメントは、前記濾過部材の片側面側領域における空間利用が改善されることにより、簡単な方法で濾過作用が最善となるように内燃機関の吸気領域の複雑な構造に適合させることができる。このように、フィルタエレメントを吸気経路の幾何学形状に適合して配置することができるので、この発明はフィルタエレメントの空気入口側における流れを良好にすることにも貢献する。
【０００３】
また、特許文献２（ＤＥ４２１８３９６Ａ１）には、特に貨物自動車や建設機械の内燃機関に装着される比較的大きな濾過面積を有するフィルタエレメントが開示されている。このフィルタエレメントはその片面側の周縁を囲んで清浄前空気側を清浄空気側からシールする少なくとも一つのシール部材を有する。
【０００４】
上記フィルタエレメントは、折畳み高さが異なる個々のフィルタエレメントを一体に連結して、ある種の幾何学形状のフィルタハウジング、つまり隣り合うフィルタハウジングに装着することを考慮した形状に形成することができる。前記個々のフィルタエレメントは別々に製作されてヒンジとなる連結板状部で互いに連結されている。
【特許文献１】ＤＥ１９８１６４３１Ａ１
【特許文献２】ＤＥ４２１８３９６Ａ１
【発明の開示】
【発明が解決しようとする課題】
【０００５】
本発明は、先に述べたフィルタエレメントを簡単な方法で流れが最も良好になるとともに濾過部材を良好にシールをできるように形成することを課題とする。
【課題を解決するための手段】
【０００６】
本発明のフィルタエレメントにおいては、好ましくは濾過部材の片面側には周縁を囲繞するシール部材が設けられ、該シール部材を介して前記フィルタエレメントがフィルタハウジングのハウジング部に装着され、前記濾過部材はそれが嵌着されて形成される前記フィルタエレメントの前記片面側の空間が最小の圧力損失で濾過すべき或はされた流体が流入或は流出できる空間となるように形成される。
【０００７】
本発明の第１の好ましい実施例では、前記濾過部材はその流入側及び／或は流出側が少なくとも部分的に部分的流通可能化部材で覆われ、該部分的流通可能化部材は空気流が少なくとも部分的に平均的に分布するように作用する。
【０００８】
そして、前記部分的流通可能化部材は簡単な方法でフィルタ上面の全体を覆う枠部材に取り付けられ、該枠部材の残りの部分は該枠部材をフィルタ上面へ支える役目をする。前記部分的流通可能化部材は好ましくは穴明き板よりなる。本発明によれば、フィルタエレメントをこのように部分的流通可能化部材で覆うことにより、空気フィルタへの流入空気流あるいは空気フィルタからの流出空気流が平均的に分布するようになる。
【０００９】
前記した空気流の最適な分布により、フィルタエレメントに積もる例えば塵埃の分布の平均化も達成される。前記した部分的覆いをしない場合には、先ずは塵埃がフィルタエレメントに部分的に積もり、その後他の部分にも積もることになり、このことは濾過部材の一定の部分に取り付けられている流量センサ設置領域における空気流量の変化をもたらす。前記部分的流通可能化部材で部分的に覆うことにより、流量センサの指示値が偏ることが有利に防止され、あるいは少なくとも大幅に緩和される。
【００１０】
本発明のさらに他の好ましい実施例では、前記フィルタエレメントは、囲繞するシール部材を介して、該シール部材が下側ハウジングの外縁部のシール部材受入れ部に装入され、該シール部材が上側ハウジングに突き当たってシールが行なわれ、そして該シール部材が基本的に濾過部材の上面で終わるようにフィルタハウジングに取り付けられる。
【００１１】
この構成は、例えば発砲材よりなるシール部材を濾過部材自体よりも上に出ないように取り付けることを狙うものである。シール部材の上側に空気が流入、或は上側から空気が流出するようなフィルタを計画する際に、このようなシール部材によりシール部材上側に形成される空間の断面を流入或は流出断面とすることができる。これにより、例えば内燃機関の吸入経路の空気フィルタにおける圧力損失が明らかに低減される。
【発明を実施するための最良の形態】
【００１２】
本発明のフィルタエレメントの実施例を図面を参照して説明する。図１はＤＥ１９８１６４３１Ａ１に開示されている現状技術による内燃機関用空気フィルタのフィルタエレメント１を示し、該フィルタエレメントは、左側部分は折畳み高さが比較的低い折畳み領域に形成され、右側部分は折畳み高さが比較的高い折畳み領域に形成された濾過部材２を有する。該フィルタエレメント１は、基本的にフィルタエレメント１の上側でその周縁を囲むシール部材３を備え、該シール部材はここには図示しないフィルタハウジングのシール部材受入れ部に適合するように形成されている。
【００１３】
図２に濾過部材４を有する本発明のフィルタエレメントが示されており、該フィルタエレメントは下側ハウジング５内に装着され、その上に上側ハウジング６が被せてある。前記濾過部材４はそれを囲繞するシール部材７を有し、該シール部材は、例えば発泡材シール部材として濾過部材４の周縁に沿って取り付けられ、前記下側ハウジング５のシール部材受入れ部８に嵌め込まれている。シール作用は、前記下側ハウジング６の対応する封止縁９が前記シール部材受入れ部８の上に被さってシール部材７を押し付けることによって行なわれる。このようにシール部材７でシールすることにより形成される空間の断面を吸気の流入或は流出断面とすることができ、これにより濾過部材４を備えたフィルタエレメントにおける圧力損失を低減される。
【００１４】
図3に示す実施例では、フィルタエレメント１０は濾過部材１１を有し、流入側及び／或は流出側に、例えば穴あき板などの部分的流通可能化部材１２が、少なくとも部分的に
設けられ、このように該部分的流通可能化部材１２でフィルタ上面を少なくとも部分的に覆うことにより、濾過部材における流れの圧力分布及び空気流中の捕獲された粒子の分布が平均化される。
【００１５】
図3の部分的流通可能化部材１２はフィルタ上面の全体を覆う枠部材１４に取り付けられており、該枠部材１４の残りの部分１５は非常に粗い網目で全面的に流通可能であって該網部はフィルタ上面への支えの役割のみを果たす。前記穴１６により生じる空気流の分布により、濾過部材１１に積もる例えば塵埃が濾過部材に平均的に分布されることになる。
【図面の簡単な説明】
【００１６】
【図１】異なる部分フィルタエレメントからなる現状技術によるフィルタエレメントである。
【図２】図１と対比できるフィルタエレメントをフィルタハウジングに装着した断面図で、該フィルタエレメントも外周を囲むシール部材が設けられている。
【図３】部分的流通を可能とする覆いを設けたフィルタエレメントの実施例である。
【図１】
2006348934.tif 000003
【図２】
2006348934.tif 000004
【図３】
2006348934.tif 000005